(57)【特許請求の範囲】
【請求項１】
左右のサイドフレーム部と、サイドフレーム部の上部間に亘るアッパーフレーム部と、サイドフレーム部の下部間に亘るロアフレーム部とから枠状を呈するシートバックフレームを備える自動車用シートにおいて、
前記ロアフレーム部には、前記各サイドフレーム部の下部縁にあてがい固定する左右のサイドブラケット部をロアフレーム部より前方に曲げて設け、
前記ロアフレーム部に、くびれ部を設け、
前記くびれ部は、前記ロアフレーム部の板面を前膨らみの半円弧状に湾曲するよう設けられていると共に、前記左右のサイドブラケット部の後側縁に設けられ、
衝突時に、荷重が加わると、前記くびれ部は、半円弧状の口を狭める方向に撓み変形可能に設けられていることを特徴とする衝撃吸収可能な自動車用シート。
【請求項２】
前記ロアフレーム部には、前記くびれ部が前記左右のサイドブラケット部に向かう長手方向に設けられていることを特徴とする請求項１に記載の自動車用シート。
【請求項３】
前記くびれ部は、前記左右のサイドブラケット部の後側縁に回り込むよう設けられていることを特徴とする請求項１に記載の自動車用シート。
【請求項４】
前記ロアフレーム部には、前記くびれ部が前記左右のサイドブラケット部に向かう長手方向の直線状に設けられていることを特徴とする請求項１に記載の自動車用シート。
【請求項５】
前記ロアフレーム部を金属板材で形成し、
前記サイドブラケット部は、ロアフレーム部より一体に折り曲げて形成されていることを特徴とする請求項１に記載の自動車用シート。
【請求項６】
前記シートバックフレームのサイドブラケット部とシートクッションフレームのサイドブラケット部との相対間にリクライニングロックを組み付けるフレーム構造を有し、前記各サイドブラケット部は、前記リクライニングロックで保持されていることを特徴とする請求項１に記載の自動車用シート。
【請求項７】
前記リクライニングロックを各サイドブラケットに挿通する枢軸シャフトで一体に連結し、前記くびれ部は、前記枢軸シャフトよりも上方に設けられていることを特徴とする請求項６に記載の自動車用シート。
【請求項８】
前記くびれ部は、前記リクライニングロックよりも上方に設けられていることを特徴とする請求項６または７に記載の自動車用シート。
【発明の詳細な説明】
【技術分野】
【０００１】
本発明は、衝突等による衝撃を受けた時に、衝撃エネルギーをシートバックで吸収可能に構成する自動車用シートに関するものである。
【背景技術】
【０００２】
一般に、自動車用シートは、車体フロアに設置されるシートクッションと、シートクッションの後部側にリクライニングデバイスで角度調整可能に乃至は前倒し，後倒し可能に立付け保持したシートバックとから構成されている。
【０００３】
そのシートバックは、略下向きＵ字状に軸曲げしたパイプ部材をメインフレームとし、鋼板材から所定形状にプレス成形したアッパーフレーム部をメインフレームの上軸部に溶接固定すると共に、鋼板材から所定形状にプレス成形した左右のサイドフレーム部をメインフレームの左右縦軸部に溶接固定し、更に、直線状のパイプ部材を左右縦軸部の下端寄り間に亘るロアフレーム部として溶接固定することから、略四辺形の枠状を呈するシートバックフレームを基枠に組み立てられている。
【０００４】
そのシートバックにおいては、衝突等による衝撃エネルギーをシートバックフレームで吸収可能に構成するべく、パイプ部材によるロアフレーム部を二つに分割形成し、各ロアパイプを外軸端による片持ち式で各サイドフレーム部に溶接固定し、両者間に跨るインナーパイプをスライド可能に各ロアパイプの径内に挿置することから、シートバックフレームのロアフレーム部を構成するものが知られている（特許文献１）。
【０００５】
そのシートバックフレームによれば、衝撃に伴う着座者の荷重がシートバックに加わると、ロアパイプが左右側及び後方側に撓み、ロアパイプが左右側に離間すると共に、インナーパイプがロアパイプの径内で摺動し、ロアフレーム部が全体的に撓み変形することから、ロアフレーム部の後方側に向かう変形ストロークを大きく確保できて座者に加わる衝撃を吸収できるというものである。
【先行技術文献】
【特許文献】
【０００６】
【特許文献１】特開平１０−１０３８８０号
【発明の概要】
【発明が解決しようとする課題】
【０００７】
本発明は、衝撃に伴う着座者の荷重がシートバックに加わると、シートバックフレームが簡単な構造で後方に撓み変形することから、衝撃エネルギーをシートバックの後方偏倚で吸収可能な自動車用シートを提供することを課題とする。
【課題を解決するための手段】
【０００８】
本願の請求項１に係る発明は、左右のサイドフレーム部と、サイドフレーム部の上部間に亘るアッパーフレーム部と、サイドフレーム部の下部間に亘るロアフレーム部とから枠状を呈するシートバックフレームを備える自動車用シートにおいて、
前記ロアフレーム部には、前記各サイドフレーム部の下部縁にあてがい固定する左右のサイドブラケット部をロアフレーム部より前方に曲げて設け、
前記ロアフレーム部に、くびれ部を設け、
前記くびれ部は、前記ロアフレーム部の板面を前膨らみの半円弧状に湾曲するよう設けられていると共に、前記左右のサイドブラケット部の後側縁に設けられ、
衝突時に、荷重が加わると、前記くびれ部は、半円弧状の口を狭める方向に撓み変形可能に設けられていることを特徴とする。
【００１１】
本願の請求項２に係る発明は、前記ロアフレーム部には、前記くびれ部が前記左右のサイドブラケット部に向かう長手方向に設けられていることを特徴とする。
【００１２】
本願の請求項３に係る発明は、前記くびれ部は、前記左右のサイドブラケット部の後側縁に回り込むよう設けられていることを特徴とする。
【００１３】
本願の請求項４に係る発明は、前記ロアフレーム部には、前記くびれ部が前記左右のサイドブラケット部に向かう長手方向の直線状に設けられていることを特徴とする。
【００１５】
本願の請求項５に係る発明は、前記ロアフレーム部を金属板材で形成し、前記サイドブラケット部は、ロアフレーム部より一体に折り曲げて形成されていることを特徴とする。
【００１６】
本願の請求項６に係る発明は、前記シートバックフレームのサイドブラケット部とシートクッションフレームのサイドブラケット部との相対間にリクライニングロックを組み付けるフレーム構造を有し、前記各サイドブラケット部は、前記リクライニングロックで保持されていることを特徴とする。
【００１７】
本願の請求項７に係る発明は、前記リクライニングロックを各サイドブラケットに挿通する枢軸シャフトで一体に連結し、前記くびれ部は、前記枢軸シャフトよりも上方に設けられていることを特徴とする。
【００１８】
本願の請求項８に係る発明は、前記くびれ部は、前記リクライニングロックよりも上方に設けられていることを特徴とする。
【発明の効果】
【００１９】
本発明に依れば、衝突時等による衝撃を受けて着座者の荷重が加わると、シートバックフレームの上部側がロアフレーム部のくびれ部より後倒しになるよう、くびれ部が変形することから、衝撃エネルギーをくびれ部という簡単な構造で吸収できて着座者に加わる衝撃をシートバックの後方偏倚で緩和することができる。
【発明を実施するための最良の形態】
【００２０】
以下、添付図面を参照して説明すると、図面はシートバック，シートクッションからなる自動車用シートをフレーム構造で示す。このフレーム構造は主たる構成部分であり、バックパッド，クッションパッドを支持するジグザグバネやその他の細部は図示省略されている。
【００２１】
そのフレーム構造は、図１で示すようにシートバックの基枠となるシートバックフレーム１，シートクッションの基枠となるシートクッションフレーム２から構成されている。この各フレーム１，２は、超高張力鋼板等の金属板材を所定の立体形状にプレス成形した構成各部をスポット溶接で接合することにより、金属製のものとして各々一体に組み立てられている。
【００２２】
シートバックフレーム１は、図２の背部側から示すように左右のサイドフレーム部１０ａ，１０ｂと、サイドフレーム部１０ａ，１０ｂの上部間に亘るアッパーフレーム部１１と、サイドフレーム部１０ａ，１０ｂの下部間に亘るロアフレーム部１２とから略四辺形の枠状を呈するよう組み立てられている。図中、符号１１ａ，１１ｂはヘッドレスト（図示せず）のスティホルダーを示す。
【００２３】
ロアフレーム部１２は、サイドフレーム部１０ａ，１０ｂの下寄り背部に掛け渡す主要部として形成されている。そのロアフレーム部１２は、各サイドフレーム部１０ａ，１０ｂの下部縁にあてがい固定する左右のサイドブラケット部１２ａ，１２ｂを前方に折り曲げて設けることから、サイドブラケット部１２ａ，１２ｂを含む全体が一体に形成されている。
【００２４】
そのロアフレーム部１２には、くびれ部１３がシートバックフレーム１の撓み変形による衝撃吸収用として左右のサイドブラケット部１２ａ，１２ｂに向かう長手方向の直線状に設けられている。このくびれ部１３は、図３で示すようにロアフレーム部１２の板面を所定の幅分だけ前膨らみの半円弧状に湾出することにより、各サイドブラケット部１２ａ，１２ｂの後側に回り込む（図１参照）よう設けられている。
【００２５】
シートクッションフレーム２は、左右のサイドフレーム部２０ａ，２０ｂと、サイドフレーム部２０ａ，２０ｂの前側上部に被着固定するパンフレームでなる前フレーム部２１とから組み立てられている。そのサイドフレーム部２０ａ，２０ｂには、シートバックフレーム１のサイドブラケット部１２ａ，１２ｂと相対するサイドブラケット部２２ａ，２２ｂが後部側から上方に起立するよう連続形成されている。
【００２６】
そのフレーム構造は、リクライニングロック３ａ，３ｂ（図２参照）をシートバックフレーム１のサイドブラケット部１２ａ，１２ｂとシートクッションフレーム２のサイドブラケット部２２ａ，２２ｂとの相対間に組み付けると共に、リクライニングロック３ａ，３ｂを各サイドブラケット部１２ａ，１２ｂ、２２ａ，２２ｂに挿通する枢軸シャフト４で一体に連結し、ロック解除用の操作レバー５を枢軸シャフト４の片軸端に備えることから、シートバックを角度調整乃至は前倒し，後倒し可能に立付け保持するリクライニング式シート用として構成されている。
【００２７】
それと共に、シートクッション２のサイドフレーム部２２ａ，２２ｂに取り付け固定されるアッパーレール６ａを車体フロアに設置されるロアレール６ｂに摺動可能に組み合わせたスライドレール６を備えることから、スライド式シート用として構成されている。
【００２８】
そのフレーム構造を用いては、バックパッドをシートバックフレーム１に組み付け、クッションパッドをシートクッションフレーム２組み付け、各フレームを含むバックパッド，クッションパッドをトリムカバーで各々被包することにより、シートバック，シートクッションからなる自動車用シートとして組み立てられる。
【００２９】
このように構成する自動車用シートでは、衝突時等による衝撃を受けて着座者の荷重がシートバックに加わると、図４で示すように半円弧状のくびれ部１３が口を狭める方向に撓み、図５で示すようにシートバックフレーム１の上部側がロアフレーム部１２のくびれ部１３より後倒れになるよう変形する。
【００３０】
その際に、左右のサイドブラケット部１２ａ，１２ｂがロアフレーム部１２と一体に折り曲げて形成されていると共に、くびれ部１３が各サイドブラケット部１２ａ，１２ｂの後側まで回り込むよう設けられ、更に、左右のサイドブラケット部１２ａ，１２ｂがリクライニングロック３ａ，３ｂで保持されているため、シートバックフレーム１の上部側がロアフレーム部１２のくびれ部１３より安定よく後に偏倚する。これにより、衝撃エネルギーを半円弧状のくびれ部１３という簡単な構造で吸収できて着座者に加わる衝撃をシートバックの後方偏倚で確実に緩和できる。
【図面の簡単な説明】
【００３１】
【図１】本発明の実施形態に係る自動車用シートをフレーム構造で示す側面図である。
【図２】図１のフレーム構造を示す背面図である。
【図３】図１のフレーム構造を図２のＡ−Ａ線で示す断面図である。
【図４】図３のフレーム構造に基づいて衝撃吸収作用を示す説明図である。
【図５】図１のフレーム構造に基づいて衝撃吸収作用を示す説明図である。
【符号の説明】
【００３２】
１            シートバックフレーム
２            シートクッションフレーム
３ａ，３ｂ    リクライニングロック
４            枢軸シャフト
１０ａ，１０ｂ  サイドフレーム部
１１            アッパーフレーム部
１２            ロアフレーム部
１２ａ，１２ｂ  サイドブラケット部
１３            くびれ部
【図１】
0005487175.tif 000002
【図２】
0005487175.tif 000003
【図３】
0005487175.tif 000004
【図４】
0005487175.tif 000005
【図５】
0005487175.tif 000006